(57)【要約】      （修正有）【課題】部品点数を削減し、低コスト化を図ることができる組立構造体を提供する。【解決手段】組立構造体１は、互いに嵌合可能な溝部を有する複数の板部材１０〜３０を備え、複数の板部材１０〜３０は、互いに同じ長さの一辺を有する矩形形状をなし、複数の板部材１０〜３０の連結部２の少なくとも一部は、一辺の２／３の深さの第一溝を有するＵ字状をなすＵ字部１５、３５と、一辺の１／３の深さの一対の第二溝を有するＨ字状をなすＨ字部２５と、が連結され、２つのＵ字部１５，３５と１つのＨ字部２５とが連結されることにより、連結部２を頂部とする多角形のボックスが形成されている。【選択図】図１
0003219586.tif 000002
【実用新案登録請求の範囲】
【請求項１】
互いに嵌合可能な溝部を有する複数の板部材を備え、
前記複数の板部材は、互いに同じ長さの一辺を有する矩形形状をなし、
前記複数の板部材の連結部の少なくとも一部は、
前記一辺の２／３の深さの第一溝を有するＵ字状をなすＵ字部と、
前記一辺の１／３の深さの一対の第二溝を有するＨ字状をなすＨ字部と、が連結され、
２つの前記Ｕ字部と１つの前記Ｈ字部とが連結されることにより、前記連結部を頂部とする多角形のボックスが形成されていることを特徴とする組立構造体。
【請求項２】
前記複数の板部材は、
２つの前記Ｕ字部を両端に有する第一板と、
２つの前記Ｈ字部を両端に有する第二板と、
１つの前記Ｕ字部からなる第三板と、を備えることを特徴とする請求項１に記載の組立構造体。
【請求項３】
前記第一板と前記第二板とが交互に連結され、前記第一板と前記第二板との前記連結部に前記第三板が連結されることにより、前記連結部を頂部とする六角形のボックスが形成されていることを特徴とする請求項２に記載の組立構造体。
【請求項４】
前記第一板と前記第二板とが交互に連結され、前記第一板と前記第二板との前記連結部に前記第一板が連結されることにより、前記連結部を頂部とする六角形の複数のボックスがハニカム状に組み合わされていることを特徴とする請求項３に記載の組立構造体。
【請求項５】
前記複数の板部材は、１つの前記Ｈ字部からなる第四板を更に備えることを特徴とする請求項２から４のいずれか一項に記載の組立構造体。
【請求項６】
前記複数の板部材は、互いに異なる色を有することを特徴とする請求項１から５のいずれか一項に記載の組立構造体。
【考案の詳細な説明】
【技術分野】
【０００１】
本考案は、組立構造体に関する。
【背景技術】
【０００２】
従来、六角形の複数のボックスがハニカム状に組み合わされた構造がある。例えば、特許文献１には、天板、底板ならびに各左右２枚の上部傾斜側板および下部傾斜側板を備え、六角形の複数のボックスがハニカム状に組み合わされた組立式棚が開示されている。各ボックスの上部傾斜側板および下部傾斜側板の外面には、ピン嵌入用有底孔が形成されている。斜め方向に隣り合うボックスの上部傾斜側板と下部傾斜側板とは、これらの対応する有底孔に連結用ピンがまたがって嵌め込まれることによって連結されている。
【先行技術文献】
【特許文献】
【０００３】
【特許文献１】実用新案登録第３１０３３０４号公報
【考案の概要】
【考案が解決しようとする課題】
【０００４】
しかしながら、隣り合うボックスの連結には連結用ピンを要するため、各ボックスを複数個所で連結する場合には複数の連結用ピンが必要となる。その結果、部品点数が増加し、コストが高くなる。
【０００５】
本考案は上記事情に鑑みてなされたものであり、部品点数を削減し、低コスト化を図ることができる組立構造体を提供することを目的とする。
【課題を解決するための手段】
【０００６】
本考案の一態様に係る組立構造体は、互いに嵌合可能な溝部を有する複数の板部材を備え、前記複数の板部材は、互いに同じ長さの一辺を有する矩形形状をなし、前記複数の板部材の連結部の少なくとも一部は、前記一辺の２／３の深さの第一溝を有するＵ字状をなすＵ字部と、前記一辺の１／３の深さの一対の第二溝を有するＨ字状をなすＨ字部と、が連結され、２つの前記Ｕ字部と１つの前記Ｈ字部とが連結されることにより、前記連結部を頂部とする多角形のボックスが形成されていることを特徴とする。
【０００７】
この構成によれば、互いに嵌合可能な溝部を有する複数の板部材を備えることで、板部材の一部（溝部）を利用して多角形のボックスを形成することができるため、連結用ピンを要しない。したがって、部品点数を削減し、低コスト化を図ることができる。加えて、複数の板部材の連結部の少なくとも一部は、前記一辺の２／３の深さの第一溝を有するＵ字状をなすＵ字部と、前記一辺の１／３の深さの一対の第二溝を有するＨ字状をなすＨ字部と、が連結されていることで、連結幅を一辺の長さに合わせることができるため、外観性の向上に寄与する。加えて、２つのＵ字部と１つのＨ字部とが連結されることで、１つのＵ字部と１つのＨ字部とが連結される場合と比較して、連結部を強固にすることができる。加えて、連結部を頂部とする多角形のボックスが形成されていることで、組立構造体を収納棚（ラック）として利用することができる。加えて、互いに嵌合可能な溝部を有する複数の板部材を備えることで、必要に応じて組立構造体を分解することができる。
【０００８】
上記の組立構造体において、前記複数の板部材は、２つの前記Ｕ字部を両端に有する第一板と、２つの前記Ｈ字部を両端に有する第二板と、１つの前記Ｕ字部からなる第三板と、を備えてもよい。
【０００９】
この構成によれば、第一板、第二板および第三板の三種類の板部材を利用した簡単な構成で多角形のボックスを形成することができる。加えて、組立構造体において第一板が水平に配置されている場合、２つのＵ字部の間の領域を対象物の載置領域として活用することができる。また、組立構造体において第二板が水平に配置されている場合、２つのＨ字部の間の領域を対象物の載置領域として活用することができる。
【００１０】
上記の組立構造体において、前記第一板と前記第二板とが交互に連結され、前記第一板と前記第二板との前記連結部に前記第三板が連結されることにより、前記連結部を頂部とする六角形のボックスが形成されていてもよい。
【００１１】
この構成によれば、六角形のボックスが形成された組立構造体において、部品点数を削減し、低コスト化を図ることができる。例えば、六角形単体のヘキサゴンラックを提供することができる。
【００１２】
上記の組立構造体において、前記第一板と前記第二板とが交互に連結され、前記第一板と前記第二板との前記連結部に前記第一板が連結されることにより、前記連結部を頂部とする六角形の複数のボックスがハニカム状に組み合わされていてもよい。
【００１３】
この構成によれば、六角形の複数のボックスがハニカム状に組み合わされた組立構造体において、部品点数を削減し、低コスト化を図ることができる。例えば、複数の六角形を有するハニカム構造のヘキサゴンラックを提供することができる。
【００１４】
上記の組立構造体において、前記複数の板部材は、１つの前記Ｈ字部からなる第四板を更に備えてもよい。
【００１５】
この構成によれば、第一板、第二板、第三板および第四板の四種類の板部材を利用した構成で多角形のボックスを形成することができる。加えて、板部材が三種類の場合と比較して、連結部のバリエーションを増やすことができる。
【００１６】
上記の組立構造体において、前記複数の板部材は、互いに異なる色を有してもよい。
【００１７】
この構成によれば、複数の板部材が互いに同じ色を有する場合と比較して、各板部材を識別しやすいため、組立性の向上に寄与する。
【考案の効果】
【００１８】
本考案によれば、部品点数を削減し、低コスト化を図ることができる組立構造体を提供することができる。
【図面の簡単な説明】
【００１９】
【図１】実施形態に係る組立構造体の斜視図である。
【図２】実施形態に係る第一板の平面図である。
【図３】実施形態に係る第二板の平面図である。
【図４】実施形態に係る第三板の平面図である。
【図５】実施形態に係る第一板と第二板との連結部を示す斜視図である。
【図６】実施形態に係る第四板の平面図である。
【図７】実施形態の第一板と第二板との連結部に第一板が連結された状態を示す斜視図である。
【図８】実施形態に係る組立構造体の変形例を示す斜視図である。
【図９】実施形態に係る組立構造体の変形例（六角形の３つのボックスを備える組立構造体）の正面図である。
【図１０】図９の組立構造体の拡張を説明するための図である。
【考案を実施するための形態】
【００２０】
以下、本考案の実施形態を図面に基づいて説明する。以下の実施形態では、組立構造体の一例として、六角形単体のヘキサゴンラック（以下単に「ラック」ともいう）を挙げて説明する。以下の説明に用いる図面では、各部材を認識可能な大きさとするため、各部材の縮尺を適宜変更している。
【００２１】
＜ラック全体＞
図１に示すように、ラック１は、互いに嵌合可能な溝部を有する複数の板部材１０〜３０を備える。複数の板部材１０〜３０は、互いに同じ長さの一辺を有する矩形形状をなしている。複数の板部材１０〜３０の連結部２の少なくとも一部は、一辺の２／３の深さの第一溝１６を有するＵ字状をなすＵ字部１５（図２参照）と、一辺の１／３の深さの一対の第二溝２６を有するＨ字状をなすＨ字部２５（図３参照）と、が連結されている。ラック１は、２つのＵ字部１５，３５（図２のＵ字部１５および図４のＵ字部３５）と１つのＨ字部２５（図３参照）とが連結されることにより、連結部２を頂部とする六角形のボックスとされている。
【００２２】
複数の板部材１０〜３０は、第一板１０、第二板２０および第三板３０を備える。複数の板部材１０〜３０は、互いに異なる色を有する。
例えば、第一板１０は赤色を有する。
第二板２０は、第一板１０と異なる色（例えば青色）を有する。
第三板３０は、第一板１０および第二板２０のそれぞれと異なる色（例えば黄色）を有する。
【００２３】
＜第一板１０＞
図２に示すように、第一板１０は、２つのＵ字部１５を両端に有する。平面視で、第一板１０（溝部を除く外形）は、正方形形状をなしている。図２において、符号１１は第一板１０の第一辺、符号１２は第一辺１１と対向する第二辺、符号１３は第一辺１１に隣接する第三辺、符号１４は第三辺１３と対向する第四辺をそれぞれ示す。
【００２４】
２つのＵ字部１５は、第一板１０の第一辺１１および第二辺１２のそれぞれに設けられている。２つのＵ字部１５は、第三辺１３と平行な方向に離反している。各Ｕ字部１５は、第一辺１１の実質的に２／３の深さの第一溝１６を有する。第一板１０は、２つの第一溝１６を有する。各第一溝１６は、第一板１０の第一辺１１および第二辺１２のそれぞれに沿って延在している。各Ｕ字部１５の第一溝１６は、第四辺１４において開口している。
【００２５】
例えば、第一板１０のＵ字部１５は、第二板２０のＨ字部２５（図３参照）および第三板３０のＵ字部３５（図４参照）を嵌合可能な厚み（板厚）を有する。例えば、第一板１０の第一溝１６は、第二板２０のＨ字部２５（図３参照）および第三板３０のＵ字部３５（図４参照）を挿し込み可能な幅を有する。
【００２６】
＜第二板２０＞
図３に示すように、第二板２０は、２つのＨ字部２５を両端に有する。平面視で、第二板２０（溝部を除く外形）は、第一板１０（溝部を除く外形）と実質的に同じ外形を有する。図３において、符号２１は第二板２０の第一辺、符号２２は第一辺２１と対向する第二辺、符号２３は第一辺２１に隣接する第三辺、符号２４は第三辺２３と対向する第四辺をそれぞれ示す。
【００２７】
２つのＨ字部２５は、第二板２０の第一辺２１および第二辺２２のそれぞれに設けられている。２つのＨ字部２５は、第三辺２３と平行な方向に離反している。各Ｈ字部２５は、第一辺２１の実質的に１／３の深さの一対の第二溝２６を有する。第二板２０は、４つの第二溝２６を有する。各第二溝２６は、第二板２０の第一辺２１および第二辺２２のそれぞれに沿って延在している。各Ｈ字部２５の各第二溝２６は、第三辺２３および第四辺２４において開口している。
【００２８】
＜第三板３０＞
図４に示すように、第三板３０は、１つのＵ字部３５からなる。平面視で、第三板３０は、第一板１０のＵ字部１５（図２参照）と実質的に同じ外形を有する。例えば、第三板３０（溝部を除く外形）は、正方形の板部材を実質的に１／３にした外形を有する。図４において、符号３１は第三板３０の第一辺、符号３２は第一辺３１と対向する第二辺、符号３３は第一辺３１に隣接する第三辺、符号３４は第三辺３３と対向する第四辺をそれぞれ示す。
【００２９】
第三板３０は、１つの第一溝３６を有する。第一溝３６は、第三板３０の長辺（第一辺３１）に沿って延在している。第一溝３６は、第三板３０における第一辺３１と第二辺３２との間の中央に位置する。第一溝３６は、第四辺３４において開口している。
【００３０】
＜ラック１の組立方法＞
次に、実施形態に係る板部材１０〜３０を用いたラック１の組立方法の一例について説明する。
実施形態に係るラック１は、第一板１０と第二板２０とが交互に連結され、第一板１０と第二板２０との連結部２に第三板３０が連結されることにより、連結部２を頂部とする六角形のボックスが形成されている（図１参照）。
【００３１】
具体的に、先ず、第一板１０および第二板２０を用意する。次に、第一板１０のＵ字部１５に対し、第二板２０のＨ字部２５（一方の第二溝２６の形成部分）を矢印Ｖ１方向から挿し込む（図５参照）。次に、第二板２０のＨ字部２５が挿し込まれた第一板１０のＵ字部１５に対し、第三板３０のＵ字部３５（図４参照）を矢印Ｖ１方向から挿し込む（図５参照）。これにより、２つのＵ字部１５，３５と１つのＨ字部２５とが連結された構造体が得られる。
【００３２】
次に、前記構造体において、残りのＵ字部１５（Ｈ字部２５が挿し込まれていない部分）に対し、第二板２０のＨ字部２５、第三板３０のＵ字部３５を順に挿し込む。また、前記構造体において、残りのＨ字部２５（Ｕ字部１５が挿し込まれていない部分）に対し、第一板１０のＵ字部１５、第三板３０のＵ字部３５を順に挿し込む。
以上により、連結部２を頂部とする六角形のボックスが得られる（図１参照）。図１の例では、３つの第一板１０、３つの第二板２０、および６つの第三板３０を用意し、各第一板１０と各第二板２０とを交互に連結し、第一板１０と第二板２０との各連結部２に第三板３０を連結した、六角形単体のヘキサゴンラックが示されている。
【００３３】
以上説明したように、上記実施形態に係る組立構造体１は、互いに嵌合可能な溝部を有する複数の板部材１０〜３０を備え、複数の板部材１０〜３０は、互いに同じ長さの一辺を有する矩形形状をなし、複数の板部材１０〜３０の連結部２の少なくとも一部は、前記一辺の２／３の深さの第一溝１６を有するＵ字状をなすＵ字部１５と、前記一辺の１／３の深さの一対の第二溝２６を有するＨ字状をなすＨ字部２５と、が連結され、２つのＵ字部１５，３５と１つのＨ字部２５とが連結されることにより、連結部２を頂部とする多角形のボックスが形成されている。
【００３４】
この構成によれば、互いに嵌合可能な溝部を有する複数の板部材１０〜３０を備えることで、板部材１０〜３０の一部（溝部）を利用して多角形のボックスを形成することができるため、連結用ピンを要しない。したがって、部品点数を削減し、低コスト化を図ることができる。加えて、複数の板部材１０〜３０の連結部２の少なくとも一部は、前記一辺の２／３の深さの第一溝１６を有するＵ字状をなすＵ字部１５と、前記一辺の１／３の深さの一対の第二溝２６を有するＨ字状をなすＨ字部２５と、が連結されていることで、連結幅を一辺の長さに合わせることができるため、外観性の向上に寄与する。加えて、２つのＵ字部１５，３５と１つのＨ字部２５とが連結されることで、１つのＵ字部１５と１つのＨ字部２５とが連結される場合と比較して、連結部２を強固にすることができる。加えて、連結部２を頂部とする多角形のボックスが形成されていることで、組立構造体１を収納棚（ラック）として利用することができる。加えて、互いに嵌合可能な溝部を有する複数の板部材１０〜３０を備えることで、必要に応じて組立構造体１を分解することができる。
【００３５】
また、上記実施形態では、複数の板部材１０〜３０は、２つのＵ字部１５を両端に有する第一板１０と、２つのＨ字部２５を両端に有する第二板２０と、１つのＵ字部３５からなる第三板３０と、を備える。
【００３６】
この構成によれば、第一板１０、第二板２０および第三板３０の三種類の板部材を利用した簡単な構成で多角形のボックスを形成することができる。加えて、組立構造体１において第一板１０が水平に配置されている場合、２つのＵ字部１５の間の領域を対象物の載置領域として活用することができる。また、組立構造体１において第二板２０が水平に配置されている場合、２つのＨ字部２５の間の領域を対象物の載置領域として活用することができる。
【００３７】
また、上記実施形態では、第一板１０と第二板２０とが交互に連結され、第一板１０と第二板２０との連結部２に第三板３０が連結されることにより、連結部２を頂部とする六角形のボックスが形成されている。
【００３８】
この構成によれば、六角形のボックスが形成された組立構造体１において、部品点数を削減し、低コスト化を図ることができる。例えば、六角形単体のヘキサゴンラックを提供することができる。
【００３９】
また、上記実施形態では、複数の板部材１０〜３０は、互いに異なる色を有する。
【００４０】
この構成によれば、複数の板部材１０〜３０が互いに同じ色を有する場合と比較して、各板部材１０〜３０を識別しやすいため、組立性の向上に寄与する。
【００４１】
なお、本考案は上記実施形態に限定されるものではなく、その要旨を逸脱しない範囲で種々の設計変更が可能である。
例えば、上記実施形態では、複数の板部材１０〜３０は、第一板１０、第二板２０および第三板３０を備える例を挙げて説明したが、これに限らない。例えば、図６に示すように、複数の板部材は、１つのＨ字部４５からなる第四板４０を更に備えていてもよい。
【００４２】
平面視で、第四板４０は、第二板２０のＨ字部２５（図３参照）と実質的に同じ外形を有する。例えば、第四板４０（溝部を除く外形）は、正方形の板部材を実質的に１／３にした外形を有する。図６において、符号４１は第四板４０の第一辺、符号４２は第一辺４１と対向する第二辺、符号４３は第一辺４１に隣接する第三辺、符号４４は第三辺４３と対向する第四辺をそれぞれ示す。
【００４３】
第四板４０は、２つの第二溝４６を有する。各第二溝４６は、第四板４０の長辺（第一辺４１）に沿って延在している。各第二溝４６は、第四板４０における第一辺４１と第二辺４２との間の中央に位置する。各第二溝４６は、短辺（第三辺４３および第四辺４４）において開口している。
【００４４】
複数の板部材は、１つのＨ字部４５からなる第四板４０を更に備えることで、以下の効果を奏する。
この構成によれば、第一板１０、第二板２０、第三板３０および第四板４０の四種類の板部材を利用した構成で多角形のボックスを形成することができる。加えて、板部材が三種類の場合と比較して、連結部２のバリエーションを増やすことができる。
例えば、複数の板部材に含まれる板部材の種類は、組立構造体の種類に応じて変更することができる。
【００４５】
また、上記実施形態では、第一板１０と第二板２０との連結部２に第三板３０が連結される例を挙げて説明したが、これに限らない。例えば、図７に示すように、第一板１０と第二板２０との連結部２に第一板１０が連結されてもよい。これにより、組立構造体を拡張することができる。
【００４６】
また、上記実施形態では、第一板１０と第二板２０との連結部２に第三板３０が連結される例を挙げて説明したが、これに限らない。例えば、第一板１０（図２参照）と第四板４０（図６参照）との連結部に第一板１０が連結されてもよい。すなわち、組立構造体は、２つのＵ字部と１つのＨ字部とが連結されていればよい。
【００４７】
また、上記実施形態では、第一板１０と第二板２０との連結部２に第三板３０が連結されることにより、連結部２を頂部とする六角形のボックスが形成されている例を挙げて説明したが、これに限らない。例えば、図８に示すように、第一板１０と第二板２０との連結部２（図１参照）に第一板１０（図２参照）が連結されることにより、連結部２を頂部とする六角形の複数のボックスがハニカム状に組み合わされていてもよい。図８においては、縦５個×横７個（計３５個）の六角形のボックスがハニカム状に組み合わされた例を示す。
【００４８】
この構成によれば、六角形の複数のボックスがハニカム状に組み合わされた組立構造体１０１において、部品点数を削減し、低コスト化を図ることができる。例えば、複数の六角形を有するハニカム構造のヘキサゴンラックを提供することができる。
【００４９】
また、上記実施形態では、六角形単体のヘキサゴンラックの例を挙げて説明したが、これに限らない。例えば、図９に示すように、六角形の３つのボックスがハニカム状に組み合わされていてもよい。
【００５０】
次に、六角形の３つのボックスがハニカム状に組み合わされた組立構造体２０１の組立方法の一例について説明する。図９において、符号２０１Ａは六角形の１つのボックス（以下「第一ボックス」という。）、符号２０１Ｂは第一ボックス２０１Ａに隣接する（紙面上側に位置する）第二ボックス、符号２０１Ｃは第一ボックス２０１Ａおよび第二ボックス２０１Ｂのそれぞれに隣接する（紙面左側に位置する）第三ボックスをそれぞれ示す。図９において、第一板１０をドットハッチで示す。
【００５１】
第一ボックス２０１Ａは、第一板１０と第二板２０とが交互に連結されている。第一板１０と第二板２０との連結部２において、第一ボックス２０１Ａから矢印Ｋ１方向への拡張部分には、第一板１０を連結する。換言すれば、第一ボックス２０１Ａを拡張する際は、２つの第一板１０の各Ｕ字部１５（図２参照）と１つの第二板２０のＨ字部２５（図３参照）とを連結する。
【００５２】
第二ボックス２０１Ｂ（紙面上側の１つのボックス）は、第一ボックス２０１Ａと共通の１つの第一板１０を備える。例えば、第二ボックス２０１Ｂは、第一板１０（第一ボックス２０１Ａと共通）を起点として、第一板１０、第二板２０、第一板１０、第二板２０、第一板１０の順に連結する。
【００５３】
第三ボックス２０１Ｃ（紙面左側の１つのボックス）は、第一ボックス２０１Ａと共通の１つの第二板２０と、第二ボックス２０１Ｂと共通の１つの第一板１０と、を備える。例えば、第三ボックス２０１Ｃは、第二板２０（第一ボックス２０１Ａと共通）または第一板１０（第二ボックス２０１Ｂと共通）を起点として、第一板１０、第二板２０、第一板１０、第一板１０の順に連結する。第三ボックス２０１Ｃにおいて、隣り合う２つの第一板１０（第二ボックス２０１Ｂと共通部分を除く。）の連結部２には、第四板４０を連結する。換言すれば、六角形の３つのボックスを組み合わせる際、拡張を完結させるときは１つのＨ字部４５からなる第四板４０（図６参照）を用いる。
以上により、連結部２を頂部とする六角形のボックスが３つ組み合わされた組立構造体２０１が得られる。
【００５４】
また、図９の例では、六角形のボックスが３つ組み合わされた例を挙げて説明したが、これに限らない。図１０において、第一板１０をドットハッチで示す。例えば、図１０に示すように、第三ボックス２０１Ｃにおいて隣り合う２つの第一板１０（第二ボックス２０１Ｂと共通部分を除く。）の連結部２に、第四板４０（図９参照）に替えて第二板２０が連結されてもよい。これにより、組立構造体を拡張することができる。
【００５５】
また、上記実施形態では、ボックスの形状が六角形である例を挙げて説明したが、これに限らない。例えば、ボックスの形状は、四角形または八角形であってもよい。すなわち、ボックスの形状は、多角形であればよい。
【００５６】
また、上記実施形態では、複数の板部材１０〜３０が互いに異なる色を有する例を挙げて説明したが、これに限らない。例えば、複数の板部材１０〜３０は、互いに同じ色を有してもよい。
【００５７】
また、上記実施形態では、組立構造体の一例として、ラックを挙げて説明したが、これに限らない。例えば、組立構造体は、置物（オブジェ）、または玩具に用いられてもよい。すなわち、組立構造体は、互いに嵌合可能な溝部を有する複数の板部材を備えていればよい。
【符号の説明】
【００５８】
１，１０１，２０１…ラック（組立構造体）
２…連結部
１０…第一板（板部材）
１５…Ｕ字部
１６…第一溝（溝部）
２０…第二板（板部材）
２５…Ｈ字部
２６…第二溝（溝部）
３０…第三板（板部材）
３５…Ｕ字部
３６…第一溝（溝部）
４０…第四板（板部材）
４５…Ｈ字部
４６…第二溝（溝部）
【図１】
0003219586.tif 000003
【図２】
0003219586.tif 000004
【図３】
0003219586.tif 000005
【図４】
0003219586.tif 000006
【図５】
0003219586.tif 000007
【図６】
0003219586.tif 000008
【図７】
0003219586.tif 000009
【図８】
0003219586.tif 000010
【図９】
0003219586.tif 000011
【図１０】
0003219586.tif 000012